(57)【要約】  本発明に係る空気調和機は、吸込口（１１）と、ファン（２０）と、吹出口（１２）と、空気清浄フィルタ（８０）と、空気清浄フィルタと空気清浄フィルタの一部を覆う枠体（１４１）とを有する空気清浄フィルタユニット（１４０）と、空気清浄フィルタユニットの配置位置を移動させる移動装置（９０）と、を備えている。移動装置は、空気清浄フィルタを屈伸させることなく、空気清浄フィルタの配置位置を移動させるように構成されている。これにより、空気清浄フィルタの耐久性が向上する。
2019003511.tif 000002
【特許請求の範囲】
【請求項１】
吸込口と、前記吸込口から空気を吸い込ませるファンと、  前記ファンの動作により発生する空気流が吹き出す吹出口と、  前記空気流に含まれている塵埃を集塵する空気清浄フィルタと、  前記空気清浄フィルタと前記空気清浄フィルタの一部を覆う枠体とを有する空気清浄フィルタユニットと、  前記空気清浄フィルタユニットの配置位置を移動させる移動装置と、を備え、  前記移動装置は、前記空気清浄フィルタを屈伸させることなく、前記空気清浄フィルタの配置位置を移動させるように構成されている、  空気調和機。
【請求項２】
前記移動装置は、前記空気清浄フィルタユニットを直接的に移動させるように構成されている、  請求項１に記載の空気調和機。
【請求項３】
前記枠体には、前記移動装置と係合する係合部が設けられている、  請求項２に記載の空気調和機。
【請求項４】
前記枠体の少なくとも一部は、円弧状または湾曲状である、  請求項１〜３のいずれか１項に記載の空気調和機。
【請求項５】
前記係合部の第１の歯車と前記移動装置の第２の歯車とが噛み合うとともに、  前記移動装置の前記第２の歯車の歯の数より、前記係合部の前記第１の歯車の歯の数の方が多い、  請求項３に記載の空気調和機。
【請求項６】
前記移動装置は、前記空気清浄フィルタユニットの少なくとも一部が、前記吸込口の外方側に突出する位置まで、前記空気清浄フィルタユニットを移動させるように構成されている  請求項１〜５のいずれか１項に記載の空気調和機。
【請求項７】
前記空気清浄フィルタよりも通風抵抗が小さいエアフィルタと、をさらに備え、  前記吸込口から吸い込まれた前記空気が、前記エアフィルタを通過する第１の運転モードと、  前記吸込口から吸い込まれた前記空気が、前記エアフィルタと前記空気清浄フィルタとを通過する第２の運転モードと、を有している、  請求項１〜６のいずれか１項に記載の空気調和機。
【請求項８】
前記空気に含まれる塵埃の有無を検知する塵埃検知センサと、  制御部とをさらに備え、  前記塵埃検知センサの検知結果に基づいて、前記制御部は、前記移動装置に前記空気清浄フィルタの配置位置を移動させる、  請求項１〜７のいずれか１項に記載の空気調和機。
【発明の詳細な説明】
【技術分野】
【０００１】  本発明は、空気清浄フィルタを備えた空気調和機に関するものである。
【背景技術】
【０００２】  特許文献１は、気流の通風抵抗を増やさずに気流の清浄度を高めることができる空気調和機を提案している。【０００３】  特許文献１に記載されている空気調和機は、気流の通路の横断面に開口面を区画する筐体と、第１区画に粗塵用フィルタを第２区画に空気清浄フィルタを有するエアフィルタと、開口面に空気清浄フィルタを配置する第１位置、および、開口面から少なくとも部分的に空気清浄フィルタをずらす第２位置との間でエアフィルタを駆動する駆動部材とを備えている。【０００４】  そして、特許文献１の空気調和機によれば、開口面に空気清浄フィルタが位置すると、気流が空気清浄フィルタを通過することで空気清浄機能は実現される。【０００５】  また、開口面から空気清浄フィルタがずらされると、開口面には粗塵用フィルタが位置し、粗塵用フィルタがエアフィルタとして機能するため、通風抵抗の増大が回避される。このように、必要なときにだけ空気清浄機能が実現されることで、空気調和機は通風抵抗の増加を抑制しつつ気流の清浄度を高めることができる。
【先行技術文献】
【特許文献】
【０００６】
【特許文献１】特開２０１６−１８３７９４号公報
【発明の概要】
【０００７】  しかしながら、特許文献１の空気調和機では、粗塵用フィルタと空気清浄フィルタとがエアフィルタとして一体であるため、エアフィルタの移動に伴い空気清浄フィルタが屈伸されるため、空気清浄フィルタの劣化を早めてしまうという課題を有していた。
【０００８】  本発明は、前記従来の課題を解決するもので、必要に応じて空気清浄機能を有効にさせることができ、空気清浄フィルタの耐久性も向上できる空気調和機を提供することを目的とする。
【０００９】  上記従来の問題を解決するために本発明の空気調和機は、吸込口と、前記吸込口から空気を吸い込ませるファンと、前記ファンの動作により発生する空気流が吹き出す吹出口と、前記空気流に含まれている塵埃を集塵する空気清浄フィルタと、前記空気清浄フィルタと前記空気清浄フィルタの一部を覆う枠体とを有する空気清浄フィルタユニットと、前記空気清浄フィルタユニットの配置位置を移動させる移動装置と、を備えている。前記移動装置は、前記空気清浄フィルタを屈伸させることなく、前記空気清浄フィルタの配置位置を移動させるように構成されている。
【００１０】  これによれば、空気清浄フィルタは枠体で覆われるため、空気清浄フィルタの移動時にも空気清浄フィルタは屈伸されることがない。これにより、空気清浄フィルタの耐久性を向上することができる。
【００１１】  本発明によれば、必要に応じて空気清浄機能を有効にさせることができ、空気清浄フィルタの耐久性も向上できる空気調和機を提供できる。
【図面の簡単な説明】
【００１２】
【図１】本発明の実施の形態１における空気調和機の室内機の第１の運転モードの縦断面図
【図２】同空気調和機の室内機の第２の運転モードの縦断面図
【図３】同空気調和機の室内機の第２の運転モードの縦断面図
【図４】同空気調和機のフィルタユニットの展開図
【図５】同空気調和機のフィルタユニットを室内機の筐体に取付ける状態を示す斜視図
【図６】同空気調和機の空気清浄フィルタユニットの分解図
【図７】同空気調和機の空気清浄フィルタユニットと移動装置とを連結した状態の縦断面図
【図８】同空気調和機のエアフィルタを着脱するときの状態を示す縦断面図
【発明を実施するための形態】
【００１３】  第１の発明に係る空気調和機は、吸込口と、前記吸込口から空気を吸い込ませるファンと、前記ファンの動作により発生する空気流が吹き出す吹出口と、前記空気流に含まれている塵埃を集塵する空気清浄フィルタと、前記空気清浄フィルタと前記空気清浄フィルタの一部を覆う枠体とを有する空気清浄フィルタユニットと、前記空気清浄フィルタユニットの配置位置を移動させる移動装置と、を備えている。前記移動装置は、前記空気清浄フィルタを屈伸させることなく、前記空気清浄フィルタの配置位置を移動させるように構成されている。
【００１４】  これによれば、空気清浄フィルタは枠体で覆われるため、空気清浄フィルタユニットの移動時にも、空気清浄フィルタは屈伸されることがない。これにより、空気清浄フィルタの耐久性を向上することができる。
【００１５】  第２の発明は、特に、第１の発明において、前記移動装置は、前記空気清浄フィルタユニットを直接的に移動させるように構成されている。
【００１６】  これによれば、移動装置は、空気清浄フィルタユニットを、他の部材等を介して移動させず、直接的に移動させる。したがって、低コスト化および小型化を実現できる。
【００１７】  第３の発明は、特に、第２発明において、前記枠体には、前記移動装置と係合する係合部が設けられている。
【００１８】  これによれば、空気清浄フィルタユニットの移動時にも、空気清浄フィルタは屈伸されることがなく、空気清浄フィルタユニットを移動性させることができる。
【００１９】  第４の発明は、特に、第１から第３のいずれかの発明において、前記枠体の少なくとも一部は、円弧状または湾曲状である。
【００２０】  これによれば、空気清浄フィルタユニットを、限られた空間に配置することができ、機器の小型化を実現できる。
【００２１】  第５の発明は、特に、第３の発明において、前記係合部の第１の歯車と前記移動装置の第２の歯車とが噛み合うとともに、前記移動装置の前記第２の歯車の歯の数より、前記係合部の前記第１の歯車の歯の数の方が多い。
【００２２】  これによれば、移動装置における第２の歯車が比較的小さくても、空気清浄フィルタユニットの移動距離を大きくすることができる。
【００２３】  第６の発明は、特に、第１から第５のいずれかの発明において、前記移動装置は、前記空気清浄フィルタユニットの少なくとも一部が、前記吸込口の外方側に突出する位置まで、前記空気清浄フィルタユニットを移動させるように構成されている。
【００２４】  これによれば、空気清浄フィルタユニットが移動したのを、使用者が機器の外方側から確認（すなわち、目視）できるため、機器の使用性を向上できる。
【００２５】  第７の発明は、特に、第１から第６のいずれかの発明において、前記空気清浄フィルタよりも通風抵抗が小さいエアフィルタと、をさらに備え、前記吸込口から吸い込まれた前記空気が、前記エアフィルタを通過する第１の運転モードと、前記吸込口から吸い込まれた前記空気が、前記エアフィルタと前記空気清浄フィルタとを通過する第２の運転モードと、を有している。
【００２６】  第８の発明は、特に、第１から第７のいずれかの発明において、前記空気に含まれる塵埃の有無を検知する塵埃検知センサと、制御部とをさらに備え、前記塵埃検知センサの検知結果に基づいて、前記制御部は、前記移動装置に前記空気清浄フィルタの配置位置を移動させる。
【００２７】  以下、本発明の実施の形態について、図面を参照しながら説明する。なお、この実施の形態によって本発明が限定されるものではない。
【００２８】  （実施の形態１）  図１から図３は、本実施の形態による空気調和機の室内機の縦断面図である。
【００２９】  本実施の形態による空気調和機は、室内機と室外機とから構成される。室内機と室外機とは冷媒配管及び制御配線により接続され、室内機と室外機とによりヒートポンプが構成される。室外機にはコンプレッサが設けられている。室内機は、室内の壁面に取り付けられる。
【００３０】  本実施の形態による空気調和機の室内機は、吸込口１１と吹出口１２とが形成されている本体１と、本体１の前面に設ける前面パネル２とを備えている。
【００３１】  吸込口１１は本体１の上面に形成され、吹出口１２は本体１の下面に形成される。本体１の後面１３は壁面に取り付けられる。本体１の内部には、吸込口１１から空気を吸い込ませるファン２０と、吸込口１１から吸い込まれた空気と熱交換する熱交換器３０とが設けられている。ファン２０には、貫流ファン（クロスフローファン）が適している。ファン２０においては、回転軸の左右両端のいずれかにファンモータが連結されている（図示せず）。ファン２０の下流から吹出口１２の上流に至る下流空気流路４０は、ファン２０の下流に配置されて空気の流れを案内するリアガイダ４１と、リアガイダ４１に対向して配置されたスタビライザ４２と、本体１の両側壁（図示せず）とで形成されている。
【００３２】  吹出口１２には、上下風向変更羽根５１と左右風向変更羽根５２とが設けられている。左右風向変更羽根５２は上下風向変更羽根５１より上流側に配置されている。上下風向変更羽根５１は、吹出口１２を開閉し、空気の吹き出しを上下方向に変更する。左右風向変更羽根５２は、空気の吹き出しを左右方向に変更する。
【００３３】  ファン２０の上流側の空気流路６０には、熱交換器３０とフィルタユニット１２０とが配置されている。フィルタユニット１２０は、エアフィルタユニット１３０と空気清浄フィルタユニット１４０とで構成されている。空気清浄フィルタユニット１４０は、図４に示しているように、移動装置９０を介して、エアフィルタユニット１３０に連結されている。フィルタユニット１２０は、図５に示すように一つのユニットとして室内機の筐体内に収納されている。
【００３４】  エアフィルタユニット１３０は、図１に示すように、エアフィルタ７０と、エアフィルタ７０の一部を覆う枠体１３１と、エアフィルタ７０を自動清掃するための駆動部１３２と、埃除去部１３３とで構成されている。
【００３５】  空気清浄フィルタユニット１４０は、図６に示すように、空気清浄フィルタ８０と、空気清浄フィルタ８０の一部を覆う枠体１４１とで構成されている。枠体１４１は、空気清浄フィルタ８０に対して、空気流路の上流側に配置された前枠１４２、および、下流側に配置された後枠１４３の少なくとも一方とで構成されている。枠体１４１は、空気清浄フィルタ８０を保持している。より詳細には、前枠１４２および後枠１４３は、空気清浄フィルタ８０の一部を覆うとともに、空気清浄フィルタ８０を保持する。枠体１４１は、吸込口１１から吸い込まれた空気が空気清浄フィルタ８０を通過できるように、空気清浄フィルタ８０の一部を覆えばよく、例えば、枠体１４１は図６に示すように、格子状である。空気清浄フィルタ８０は、樹脂性の材料で構成されていることが好ましい。
【００３６】  なお、この空気清浄フィルタユニット１４０に、脱臭フィルタ等の空気清浄フィルタ８０と異なる空気浄化機能を有する部材が、さらに設けられていてもよい。
【００３７】  また、後枠１４３には、係合部１４４が別部材で設けられており、係合部１４４に形成されているラック８１は、空気清浄フィルタユニット１４０を移動させるために回転する移動装置９０の歯車（第２の歯車）９２と係合している。
【００３８】  空気清浄フィルタ８０は、エアフィルタ７０とは別体として形成されている。エアフィルタ７０は、比較的大きな塵埃を捕獲することを目的とした租塵用のフィルタである。一方、空気清浄フィルタ８０は、エアフィルタ７０より通風抵抗が大きく、エアフィルタ７０を通過するような微粒子を捕獲することを目的としたフィルタであり、プリーツ式や不織布式が好ましい。
【００３９】  移動装置９０は、空気清浄フィルタユニット１４０の形状を変形させることなく、配置されているそのままの形状で、空気清浄フィルタユニット１４０の配置位置を移動させる。移動装置９０は、例えば、モータ９１と歯車９２とで構成されている。空気清浄フィルタユニット１４０の係合部１４４に形成されたラック８１に歯車９２が噛み合される。モータ９１は歯車９２を回転させる。これにより、移動装置９０は空気清浄フィルタ８０を直接的に回動させ、空気清浄フィルタ８０の配置位置を移動させる。ここで、「直接的」とは、移動装置９０が、他の部材等を介さずに、空気清浄フィルタユニット１４０を移動させることをいう。
【００４０】  図７は、空気清浄フィルタユニット１４０と移動装置９０とを連結した状態の縦断面図である。これによれば、移動装置９０の歯車９２は平歯車（外歯車）であり、空気清浄フィルタユニット１４０の係合部１４４に形成されたラック８１は内歯車で、それらが噛み合う構成である。なお、移動装置９０の歯車（第２の歯車）９２の歯の数より、空気清浄フィルタユニット１４０の係合部１４４に形成されたラック８１の歯車（第１の歯車）８１０の歯の数の方が多く構成されている。また、空気清浄フィルタユニット１４０の前枠１４２、後枠１４３の少なくとも一部は、円弧状または湾曲状である。これにより、空気清浄フィルタユニット１４０を、限られた空間に配置することができる。
【００４１】  空気清浄フィルタ８０は、前枠１４２、および、後枠１４３で覆われるため、空気清浄フィルタ８０の形状を変形させずに、空気清浄フィルタ８０の配置位置を移動させることができる。従って、空気清浄フィルタ８０は、屈伸されることがなく、耐久性を向上することができる。
【００４２】  また、空気清浄フィルタユニット１４０の係合部１４４を、前枠１４２、後枠１４３と異なる潤滑性に優れた材料で形成することで、移動装置９０との係合における摺動性を良くすることができる。このため、駆動の耐久性を向上させることができる。
【００４３】  なお、前枠１４２、および、後枠１４３は、潤滑性に優れた材料で形成する必要がないため、安価な材料を選定することができる。従って、空気清浄フィルタユニット１４０の低コスト化が図れる。
【００４４】  空気清浄フィルタ８０は、エアフィルタ７０より上流側の空気流路６０に配置されている。空気清浄フィルタ８０をエアフィルタ７０より上流側の空気流路６０に配置することで、空気清浄フィルタ８０をエアフィルタ７０と熱交換器３０との間の空気流路６０に配置する場合と比較して、冷房運転時における結露による空気清浄フィルタ８０の性能低下を防止できる。
【００４５】  移動装置９０は、エアフィルタ７０より上流側の空気流路６０に配置することが好ましい。移動装置９０をエアフィルタ７０より上流側の空気流路６０に配置することで、移動装置９０をエアフィルタ７０と熱交換器３０との間の空気流路６０に配置する場合と比較して、冷房運転時における結露による移動装置９０への影響を少なくでき、更に移動装置９０による通風抵抗の増加を防止できる。
【００４６】  なお、空気清浄フィルタ８０をエアフィルタ７０より上流側の空気流路６０に配置し、移動装置９０をエアフィルタ７０と熱交換器３０との間の空気流路６０に配置することもできる。
【００４７】  本実施の形態による空気調和機は、少なくとも冷房運転、暖房運転、及び空気清浄運転を行うことができ、これら運転切り替えは操作装置１００にて使用者が指示を行える。
【００４８】  操作装置１００は、冷房運転を指示する操作スイッチ１０１、暖房運転を指示する操作スイッチ１０２、空気清浄運転を指示する操作スイッチ１０３、および、空気清浄フィルタユニットのみを駆動する操作スイッチ１０４を備えている。空気清浄運転を指示する操作スイッチ１０３を使用者が操作した場合には、移動装置９０は、空気清浄フィルタユニット１４０の配置位置を移動させる。
【００４９】  このように、移動装置９０による空気清浄フィルタユニット１４０の配置位置の移動を指示する操作スイッチ１０３を備えることで、使用者は操作スイッチ１０３によって空気清浄機能を有効にさせる空気清浄運転を実行させることができる。
【００５０】  本実施の形態による空気調和機は、空気に含まれる塵埃の少なくとも有無を検知する塵埃検知センサ１１０を備えている。
【００５１】  塵埃検知センサ１１０が検知する空気の清浄度合いの結果に基づいて、制御部（図示せず）は、移動装置９０に、空気清浄フィルタユニット１４０の配置位置を移動させてもよい。本実施の形態によれば、塵埃検知センサ１１０が「塵埃有」と検知した場合には、制御部は空気清浄機能を有効にさせる空気清浄運転を実行させることができる。
【００５２】  本実施の形態による空気調和機は、吸込口１１から吸い込まれた空気が、エアフィルタ７０を通過して熱交換器３０と熱交換する第１の運転モードと、移動装置９０が、空気清浄フィルタユニット１４０の配置位置を移動させ、吸込口１１から吸い込まれた空気が、エアフィルタ７０と空気清浄フィルタ８０と熱交換器３０とを通過する第２の運転モードとを少なくとも有している。なお、第１の運転モード時に第２の運転モードが動作しても構わない。
【００５３】  操作スイッチ１０１を使用者が操作した場合に行われる冷房運転、及び操作スイッチ１０２を使用者が操作した場合に行われる暖房運転は、第１の運転モードである。操作スイッチ１０３を使用者が操作した場合に行われる空気清浄運転は、第２の運転モードである。
【００５４】  第２の運転モードにおけるファン２０の設定回転数は、第１の運転モードにおけるファン２０の少なくとも最低設定回転数よりも大きい。例えば、第１の運転モードにおけるファン２０が、「弱」「中」「強」の回転数に変更できる場合に、第２の運転モードにおけるファン２０の設定回転数は、少なくとも「中」の回転数とするか、「弱」の回転数よりも大きく「中」の回転数よりも小さな回転数とする。
【００５５】  このように、第２の運転モードにおけるファン２０の設定回転数を、第１の運転モードにおけるファン２０の少なくとも最低設定回転数よりも大きくすることで、空気清浄フィルタ８０による通風抵抗の増加による、吹出口１２からの吹出風量低下を防止する。これにより、空気清浄機能を十分に発揮できる風量を確保することができる。
【００５６】  以上のように構成された空気調和機について、以下その動作について説明する。
【００５７】  なお、第１の運転モード及び第２の運転モードでは、いずれも上下風向変更羽根５１は吹出口１２を開いた状態にあるが、図１から図３では、いずれも空気清浄フィルタユニット１４０の動作だけを示している。
【００５８】  図１は、空気調和機の空調運転停止時及び第１の運転モード時を示している。空調運転停止時及び第１の運転モード時の状態においては、空気清浄フィルタユニット１４０は、本体１内、すなわち略空気流路６０外に収納されている。収納状態では、空気清浄フィルタユニット１４０は、前面パネル２の内方に配置され、空気清浄フィルタユニット１４０の上端側に歯車９２が位置する。従って、空気清浄フィルタユニット１４０は、エアフィルタ７０の上流側の吸込口１１、すなわち空気流路６０を覆わない。この状態では、空気清浄機能は働かない。
【００５９】  図２及び図３は、空気調和機の第２の運転モード時を示している。図２では、空気清浄フィルタユニット１４０の一部が、エアフィルタ７０の上流側の吸込口１１、すなわち空気流路６０の一部を覆い、図３では、空気清浄フィルタユニット１４０のほぼ全てが、エアフィルタ７０の上流側の吸込口１１、すなわち空気流路６０の一部を覆っている。
【００６０】  図２の状態では、空気清浄フィルタユニット１４０の中央部分に歯車９２が位置し、図３の状態では、空気清浄フィルタユニット１４０の下端側に歯車９２が位置する。
【００６１】  モータ９１を正回転させることで、空気清浄フィルタユニット１４０は、図１の状態から図２の状態に回動し、空気清浄フィルタ８０および空気清浄フィルタユニット１４０が屈伸することなく、配置されているそのままの形状で配置位置が移動する。更にモータ９１を正回転させることで、空気清浄フィルタユニット１４０は、図２の状態から図３の状態に回動し、空気清浄フィルタ８０および空気清浄フィルタユニット１４０の形状が変形することなく、配置されているそのままの形状で配置位置が移動する。
【００６２】  つまり、吸込口１１、すなわち、空気流路６０を覆う流路面積が大きくなる方向に、空気清浄フィルタユニット１４０は配置位置を移動する。すなわち、空気清浄フィルタユニット１４０が、吸込口１１、すなわち、空気流路６０を覆う流路面積が次第に大きくなるように、空気清浄フィルタユニット１４０は配置位置を移動しているのである。このとき、図２や図３に示すように、空気清浄フィルタユニット１４０の少なくとも一部が、吸込口１１の外方側まで突出するように、空気清浄フィルタユニット１４０の配置位置が移動される。
【００６３】  また、モータ９１を逆回転させることで、空気清浄フィルタユニット１４０は、図３の状態から図２の状態に回動し、空気清浄フィルタ８０および空気清浄フィルタユニット１４０が屈伸することなく、配置されているそのままの形状で配置位置が移動する。更にモータ９１を逆回転させることで、空気清浄フィルタユニット１４０は、図２の状態から図１の状態に回動し、空気清浄フィルタ８０および空気清浄フィルタユニット１４０の形状が変形することなく、配置されているそのままの形状で配置位置が移動する。
【００６４】  つまり、吸込口１１、すなわち、空気流路６０を覆う流路面積が小さくなる方向に、空気清浄フィルタユニット１４０は配置位置を移動する。すなわち、空気清浄フィルタユニット１４０が、吸込口１１、すなわち、空気流路６０を覆う流路面積が、次第に小さくなるように、空気清浄フィルタユニット１４０は配置位置を移動しているのである。
【００６５】  塵埃検知センサ１１０による検知結果で空気を清浄するか否かを制御部が判断して、移動装置９０が、空気清浄フィルタユニット１４０の配置位置を図１の状態と図３の状態とで移動させるものであってもよい。また、塵埃検知センサ１１０による検知結果で、制御部が空気の清浄度合いを更に判断して、第２の運転モードにおいて、図２に示す空気清浄フィルタユニット１４０の配置位置と、図３に示す空気清浄フィルタユニット１４０の配置位置とを切り替えてもよい。
【００６６】  また、空気清浄運転を指示する操作スイッチ１０３で、強運転と弱運転との切り替えを指示できるようにして、強運転が指示された場合には、図３に示す空気清浄フィルタユニット１４０の配置位置とし、弱運転が指示された場合には、図２に示す空気清浄フィルタユニット１４０の配置位置としてもよい。
【００６７】  また、本実施の形態では、第２の運転モードにおける空気清浄フィルタユニット１４０の配置位置を、図２の状態と図３の状態との２段階で説明したが、３段階以上の配置位置とすることもできる。
【００６８】  本実施の形態によれば、空気清浄フィルタユニット１４０を、限られた空間に収納できるとともに、空気の清浄度合いに応じた空気清浄機能運転の実行の切り替えを行うことができる。
【００６９】  また、本実施の形態では、エアフィルタ７０に付着した塵埃を自動で清掃する構成になっているが、使用者が手動で清掃することも可能である。その場合、使用者が操作装置１００の操作スイッチ１０４を操作して、空気清浄フィルタユニット１４０が、図８に示す位置まで移動する。その後、使用者はエアフィルタユニット１３０に設けたカバー１３４を開口し、エアフィルタ７０を取出して清掃する。また、上記の手順の逆を行うことにより、図１に示すような元の状態に戻すことができる。これらの構成により、エアフィルタ７０の交換が不要となる。
【００７０】  なお、本実施の形態では、空気清浄フィルタユニット１４０の配置位置の移動を指示する操作スイッチ１０４を操作装置１００に設けたが、本体１に設けてもよい。
【産業上の利用可能性】
【００７１】  以上のように、本発明にかかる空気調和機は、必要に応じて空気清浄機能を有効にさせることができ、空気清浄フィルタの耐久性も向上できるため、家庭用のみならず業務用等の空気調和機にも適用できる。
【符号の説明】
【００７２】  １  本体  ２  前面パネル  １１  吸込口  １２  吹出口  １３  後面  ２０  ファン  ３０  熱交換器  ４０  下流空気流路  ４１  リアガイダ  ４２  スタビライザ  ５１  上下風向変更羽根  ５２  左右風向変更羽根  ６０  空気流路  ７０  エアフィルタ  ８０  空気清浄フィルタ  ８１  ラック  ９０  移動装置  ９１  モータ  ９２  歯車（第２の歯車）  １００  操作装置  １０１、１０２、１０３、１０４  操作スイッチ  １１０  塵埃検知センサ  １２０  フィルタユニット  １３０  エアフィルタユニット  １３１  枠体  １３２  駆動部  １３３  埃除去部  １３４  カバー  １４０  空気清浄フィルタユニット  １４１  枠体  １４２  前枠  １４３  後枠  １４４  係合部  ８１０  第１の歯車
【図１】
2019003511.tif 000003
【図２】
2019003511.tif 000004
【図３】
2019003511.tif 000005
【図４】
2019003511.tif 000006
【図５】
2019003511.tif 000007
【図６】
2019003511.tif 000008
【図７】
2019003511.tif 000009
【図８】
2019003511.tif 000010
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
吸込口と、前記吸込口から空気を吸い込ませるファンと、
前記ファンの動作により発生する空気流が吹き出す吹出口と、
前記空気流に含まれている塵埃を集塵する空気清浄フィルタと、
前記空気清浄フィルタと前記空気清浄フィルタの一部を覆う枠体とを有する空気清浄フィルタユニットと、
前記空気清浄フィルタユニットの配置位置を移動させる移動装置と、
を備え、
前記枠体には、前記移動装置と係合する係合部が設けられており、
前記移動装置は、前記空気清浄フィルタユニットを直接的に移動させるように構成されており、
前記移動装置は、前記空気清浄フィルタを屈伸させることなく、前記空気清浄フィルタの配置位置を移動させるように構成されている、
空気調和機。
【請求項２】
（削除）
【請求項３】
（削除）
【請求項４】
前記枠体の少なくとも一部は、円弧状または湾曲状である、
請求項１に記載の空気調和機。
【請求項５】
前記係合部の第１の歯車と前記移動装置の第２の歯車とが噛み合うとともに、
前記移動装置の前記第２の歯車の歯の数より、前記係合部の前記第１の歯車の歯の数の方が多い、
請求項１または４に記載の空気調和機。
【請求項６】
前記移動装置は、前記空気清浄フィルタユニットの少なくとも一部が、前記吸込口の外方側に突出する位置まで、前記空気清浄フィルタユニットを移動させるように構成されている
請求項１，４〜５のいずれか１項に記載の空気調和機。
【請求項７】
前記空気清浄フィルタよりも通風抵抗が小さいエアフィルタと、をさらに備え、
前記吸込口から吸い込まれた前記空気が、前記エアフィルタを通過する第１の運転モードと、
前記吸込口から吸い込まれた前記空気が、前記エアフィルタと前記空気清浄フィルタとを通過する第２の運転モードと、を有している、
請求項１，４〜６のいずれか１項に記載の空気調和機。
【請求項８】
前記空気に含まれる塵埃の有無を検知する塵埃検知センサと、
制御部とをさらに備え、
前記塵埃検知センサの検知結果に基づいて、前記制御部は、前記移動装置に前記空気清浄フィルタの配置位置を移動させる、
請求項１，４〜７のいずれか１項に記載の空気調和機。
【国際調査報告】
2019003511.tif 000011
2019003511.tif 000012
2019003511.tif 000013
2019003511.tif 000014